(57)【要約】【課題】タンクに蓄えられる高温の液体の温度を低下させる自然対流を抑えるとともに、新規設置時に、ヒートポンプ部へ速やかに液体を導入できる電気給湯機を提供することを課題とする。【解決手段】電気給湯機２０の制御部１２は、総稼動時間が所定時間Ｔｉｍ１未満の場合、貯湯タンク１の上部温度ＴｍｐＨと下部温度ＴｍｐＬの温度差ΔＴｍｐＨＬが所定温度差ΔＴｍｐ１未満のときは、ＨＰユニット１１の入口部１１ａを貯湯タンク１の取り出し口４に接続する沸き上げ状態にバイパス弁９を設定し、温度差ΔＴｍｐＨＬが所定温度差ΔＴｍｐ１以上のときは、ＨＰユニット１１の入口部１１ａを出口管７にデバイス管８を介して接続するバイパス状態にバイパス弁９を設定する。そして、総稼動時間が所定時間Ｔｉｍ１以上の場合、制御部１２は、沸き上げ運転しないときにはバイパス状態にバイパス弁９を設定する。【選択図】図１
2011033284.tif 000002
【特許請求の範囲】
【請求項１】
所定の沸き上げ温度の液体を蓄えるタンクと、
前記タンクに接続され、前記沸き上げ温度より低温の前記液体を沸き上げる熱源となるヒートポンプ部と、
前記ヒートポンプ部に供給される、前記沸き上げ温度より低温の前記液体を当該ヒートポンプ部の入口部まで導く入口管と、
前記ヒートポンプ部の出口部から前記タンクの上部に形成される戻り口まで前記液体を導く出口管と、
前記入口管と前記出口管を接続するバイパス管と、
前記ヒートポンプ部の前記入口部を前記出口管に前記バイパス管を介して接続する第１の状態と前記ヒートポンプ部の前記入口部を前記入口管に対する前記液体の導入部に接続する第２の状態を設定可能な切替機構と、
前記切替機構を制御する制御部と、を備え、
前記制御部は、当該制御部の稼動時間が所定時間未満の場合には、前記切替機構を前記第２の状態に設定し、前記稼動時間が所定時間以上であって前記液体の沸き上げが行われない場合には、前記切替機構を前記第１の状態に設定することを特徴とする電気給湯機。
【請求項２】
所定の沸き上げ温度の液体を蓄えるタンクと、
前記タンクに接続され、前記沸き上げ温度より低温の前記液体を沸き上げる熱源となるヒートポンプ部と、
前記ヒートポンプ部に供給される、前記沸き上げ温度より低温の前記液体を当該ヒートポンプ部の入口部まで導く入口管と、
前記ヒートポンプ部の出口部から前記タンクの上部に形成される戻り口まで前記液体を導く出口管と、
前記入口管と前記出口管を接続するバイパス管と、
前記ヒートポンプ部の前記入口部を前記出口管に前記バイパス管を介して接続する第１の状態と前記ヒートポンプ部の前記入口部を前記入口管に対する前記液体の導入部に接続する第２の状態を設定可能な切替機構と、
前記タンク内の温度を計測する温度計測装置と、
前記タンク内の温度に基づいて前記切替機構を制御する制御部と、を備えることを特徴とする電気給湯機。
【請求項３】
前記制御部は、
当該制御部の稼動時間が所定時間未満の場合に、
前記タンク内の温度に基づいて前記切替機構を制御することを特徴とする請求項２に記載の電気給湯機。
【請求項４】
前記温度計測装置は、前記タンク内の上部の温度を計測する第１温度計と、前記タンク内の下部の温度を計測する第２温度計を含んでなり、
前記制御部は、前記タンク内の温度に基づいて前記切替機構を制御するとき、
前記第１温度計が計測する温度と前記第２温度計が計測する温度の温度差が所定温度差未満の場合に前記切替機構を前記第２の状態に設定し、
前記第１温度計が計測する温度と前記第２温度計が計測する温度の温度差が前記所定温度差以上の場合に前記切替機構を前記第１の状態に設定することを特徴とする請求項２または請求項３に記載の電気給湯機。
【請求項５】
前記温度計測装置は、前記タンク内の上部の温度を計測する第１温度計を含んでなり、
前記制御部は、前記タンク内の温度に基づいて前記切替機構を制御するとき、
前記第１温度計が計測する温度が所定温度未満の場合に前記切替機構を前記第２の状態に設定し、
前記第１温度計が計測する温度が前記所定温度以上の場合に前記切替機構を前記第１の状態に設定することを特徴とする請求項２または請求項３に記載の電気給湯機。
【発明の詳細な説明】
【技術分野】
【０００１】
本発明は、ヒートポンプ部を熱源とする電気給湯機に関する。
【背景技術】
【０００２】
ヒートポンプユニット（以下、ＨＰユニットと称する）を熱源に用いる電気給湯機は、沸き上がった湯水を蓄える貯湯タンクにＨＰユニットが接続されて構成される。
このように構成される電気給湯機は、貯湯タンクに蓄えられている湯水の温度を所定の沸き上げ温度に維持するため、夜間などの電気料金が安価な時間帯に、必要に応じて沸き上げ運転して貯湯タンクに蓄えられている湯水を加熱する。
なお、沸き上げ温度は、例えば、電気給湯機の仕様として予め設定されている温度である。
また、以下、「高温」は沸き上げ温度を示し、「低温」は沸き上げ温度より低温を示す。
【０００３】
電気給湯機が沸き上げ運転するとき、貯湯タンクの下部に滞留している、低温の湯水がＨＰユニットに取り込まれて加熱され、沸き上げ温度に沸き上った高温の湯水が貯湯タンクの上部から貯湯タンクに戻される。
すなわち、ＨＰユニットの入口部が貯湯タンクの下部と接続され、ＨＰユニットの出口部が貯湯タンクの上部と接続される。このように、貯湯タンクの上部と下部がＨＰユニットを介して接続されている。
【０００４】
また、貯湯タンクの湯水がユーザに給湯されるときは、水の給水源（例えば、水道）から、貯湯タンクの下部に水が給水される。
貯湯タンクの上部に滞留している沸き上げ温度の湯水は、貯湯タンクの上部から給湯用の配管に押し出されてユーザに給湯され、貯湯タンクの下部には、給湯された湯水の量に見合う量の水（低温）が補給される。
貯湯タンクの上部に滞留している沸き上げ温度の湯水と貯湯タンクの下部に補給される低温の水の間には境界層が形成され、沸き上げ温度の湯水と低温の水は混合することなく、分離した状態になる。
したがって、貯湯タンクの上部に滞留している沸き上げ温度の湯水の温度は低下することがなく、貯湯タンクの内部は、上部が高温で下部が低温になるように温度分布する。
【０００５】
また、貯湯タンクの上部と下部がＨＰユニットを介して接続される場合、ＨＰユニットを貯湯タンクに接続する接続配管にも境界層が形成され、上部が高温で下部が低温になるように温度分布する。
しかしながら、貯湯タンクと接続配管の放熱量の差などによって、貯湯タンクに境界層が形成される高さと接続配管に境界層が形成される高さに高低差が生じると、境界層の高低差を解消するように自然対流が発生する。
この自然対流は、湯水が貯湯タンクとＨＰユニットを循環するように流れて発生する。
以下、湯水が貯湯タンクとＨＰユニットを循環するように流れる自然対流を「給湯機対流」と称する。
【０００６】
給湯機対流は、貯湯タンクの上部と下部がＨＰユニットを介して接続される場合に、貯湯タンクの内部の温度が、上部が高温で下部が低温になるように分布すると発生する。
そして、給湯機対流が発生すると、貯湯タンクの上部に滞留している沸き上げ温度の湯水の温度が低下する。そして、場合によっては、貯湯タンクの内部に蓄えられている湯水が攪拌されて温度が均一になり、貯湯タンク内の温度分布が一様になるおそれがある。
【０００７】
このような、給湯機対流の発生を抑える手段として、逆止弁を設ける方法や、バイパス弁を利用する方法が知られている。
このうち、バイパス弁を利用する方法の説明に先立ち、以下ではまずバイパス弁について説明する。
【０００８】
ＨＰユニットは、冷媒を外気で冷却する空気側熱交換器を備えているが、その空気側熱交換器に霜が着く場合がある。
そこで、空気側熱交換器に着いた霜を除去するために、電気給湯機は、例えば、ＨＰユニットに備わる圧縮機で圧縮された高温の冷媒で霜を溶かす除霜運転をする必要がある。
【０００９】
例えば、特許文献１には、ＨＰユニットで加熱された湯水を貯湯タンクに戻すことなく循環させるためのバイパス管、及びＨＰユニットを貯湯タンクに接続する状態とＨＰユニットをバイパス管に接続する状態を設定できるバイパス弁を備え、除霜運転の効率を向上させるヒートポンプ式給湯機の技術が開示されている。また、特許文献２にも、バイパス弁を備えたヒートポンプ式給湯機の技術が開示されている。
【００１０】
特許文献２に開示されるヒートポンプ式給湯機は、沸き上げ運転をしないときに、ＨＰユニットをバイパス管に接続する状態にバイパス弁を設定する。
この状態では、貯湯タンクの上部と下部がＨＰユニットを介して接続されず、湯水が貯湯タンクとＨＰユニットを循環しないことから、給湯機対流の発生を抑えることができ、貯湯タンクの上部に滞留している沸き上げ温度の湯水の温度低下を抑えることができる。
【００１１】
また、除霜運転するとき、バイパス弁は、ＨＰユニットをバイパス管に接続する状態に設定される。ＨＰユニットで加熱された沸き上げ温度の湯水は、貯湯タンクに戻ることなくバイパス管を通ってＨＰユニットに戻るため、ＨＰユニットを流通する湯水は、速やかに高温になる。したがって、冷媒の温度低下が抑制され、圧縮機で圧縮された冷媒を高温の状態に維持することができ、効率よく霜を溶かすことができる。
【００１２】
そして、ヒートポンプ式給湯機が沸き上げ運転するとき、バイパス弁は、ＨＰユニットを貯湯タンクに接続する状態に設定され、貯湯タンクに蓄えられている湯水をＨＰユニットで加熱できる。
【００１３】
なお、バイパス弁は、ＨＰユニットの入口側に備わっている。ＨＰユニットの出口側を通る湯水は高温（例えば９０℃）であり、バイパス弁がＨＰユニットの出口側に備わる場合、バイパス弁には高い耐熱性が要求される。
バイパス弁がＨＰユニットの入口側に備わる構成によって、バイパス弁の耐熱温度を低くすることができ、バイパス弁の製造コストが低く抑えられるなどの効果が得られる。
【先行技術文献】
【特許文献】
【００１４】
【特許文献１】特開２００８−１２１９２３号公報
【特許文献２】特開２００８−２４１１１４号公報
【発明の概要】
【発明が解決しようとする課題】
【００１５】
前記したように、特許文献２に開示されるヒートポンプ式給湯機は、沸き上げ運転しないときには、ＨＰユニットをバイパス管に接続する状態にバイパス弁を設定する。
バイパス弁は、ＨＰユニットの入口側に備わっていることから、ＨＰユニットの入口側と貯湯タンクの下部は遮断された状態になる。
そして、バイパス弁と貯湯タンクの下部を接続する配管は、バイパス弁によって閉じられる。
【００１６】
したがって、例えば電気給湯機の新規設置時に試運転するときの給水作業において、ユーザが、空の貯湯タンクに水を給水するとき、貯湯タンクの下部から、バイパス弁を通って、ＨＰユニットに水が取り込まれず、貯湯タンクが満水になった後、貯湯タンクの上部と接続される出口側からＨＰユニットに水が取り込まれる。
【００１７】
バイパス弁と貯湯タンクの下部を接続する配管は、バイパス弁によって閉じられていることから、ユーザが空の貯湯タンクに水を給水するとき、バイパス弁と貯湯タンクの下部を接続する配管に滞留している空気は逃げ場がなくなって、貯湯タンクへの給水でその空気を押し出すことができず、バイパス弁と貯湯タンクの下部を接続する配管に水が給水されない。
したがって、バイパス弁と貯湯タンクの下部を接続する配管に水を満たすために呼び水をする必要があり、例えば試運転のときの給水作業に、呼び水をする作業が増えるという問題がある。
【００１８】
特に、貯湯タンクが開放式のタンクの場合は、ＨＰユニットに取り込む水の水頭圧が低くなってＨＰユニット内に滞留する空気をも充分に押し出すことができず、呼び水を充分にすることが必要になる。
【００１９】
このような問題は、沸き上げ温度の湯水が貯湯タンクに蓄えられるタイプの電気給湯機のみに限定されるものではなく、熱媒体としての高温の液体がタンクに蓄えられるタイプの電気給湯機にも共通する問題である。
また、熱源がヒートポンプユニットとして独立に存在するタイプの電気給湯機のみに限定されるものではなく、タンクと熱源が一体的に設けられ、熱源がヒートポンプ部として備わるタイプの電気給湯機にも共通する問題である。
【００２０】
そこで本発明は、タンクに蓄えられる高温の液体の温度を低下させる自然対流を抑えるとともに、新規設置時に、ヒートポンプ部へ速やかに液体を導入できる電気給湯機を提供することを課題とする。
【課題を解決するための手段】
【００２１】
前記課題を解決するため、本発明は、所定の沸き上げ温度の液体を蓄えるタンクと、前記タンクに接続され、前記沸き上げ温度より低温の前記液体を沸き上げる熱源となるヒートポンプ部と、前記ヒートポンプ部に供給される、前記沸き上げ温度より低温の前記液体を当該ヒートポンプ部の入口部まで導く入口管と、前記ヒートポンプ部の出口部から前記タンクの上部に形成される戻り口まで前記液体を導く出口管と、前記入口管と前記出口管を接続するバイパス管と、前記ヒートポンプ部の前記入口部を前記出口管に前記バイパス管を介して接続する第１の状態と前記ヒートポンプ部の前記入口部を前記入口管に対する前記液体の導入部に接続する第２の状態を設定可能な切替機構と、前記切替機構を制御する制御部と、を備え、前記制御部は、当該制御部の稼動時間が所定時間未満の場合には、前記切替機構を前記第２の状態に設定し、前記稼動時間が所定時間以上であって前記液体の沸き上げが行われない場合には、前記切替機構を前記第１の状態に設定する電気給湯機とする。
また、本発明は、所定の沸き上げ温度の液体を蓄えるタンクと、前記タンクに接続され、前記沸き上げ温度より低温の前記液体を沸き上げる熱源となるヒートポンプ部と、前記ヒートポンプ部に供給される、前記沸き上げ温度より低温の前記液体を当該ヒートポンプ部の入口部まで導く入口管と、前記ヒートポンプ部の出口部から前記タンクの上部に形成される戻り口まで前記液体を導く出口管と、前記入口管と前記出口管を接続するバイパス管と、前記ヒートポンプ部の前記入口部を前記出口管に前記バイパス管を介して接続する第１の状態と前記ヒートポンプ部の前記入口部を前記入口管に対する前記液体の導入部に接続する第２の状態を設定可能な切替機構と、前記タンク内の温度を計測する温度計測装置と、前記タンク内の温度に基づいて前記切替機構を制御する制御部と、を備える電気給湯機とする。
【発明の効果】
【００２２】
本発明によると、タンクに蓄えられる高温の液体の温度を低下させる自然対流を抑えるとともに、新規設置時に、ヒートポンプ部へ速やかに液体を導入できる電気給湯機を提供できる。
【図面の簡単な説明】
【００２３】
【図１】電気給湯機の一構成例を示す図である。
【図２】第１の実施形態に係る制御部がバイパス弁を制御する手順を示すフローチャートである。
【図３】第２の実施形態に係る制御部がバイパス弁を制御する手順を示すフローチャートである。
【発明を実施するための形態】
【００２４】
《第１の実施形態》
以下、本発明の第１の実施形態について、適宜図を参照して詳細に説明する。
図１に示すように、第１の実施形態に係る電気給湯機２０は、ユーザに給湯する湯水（液体）を蓄えるための、例えばステンレススチール製のタンク（貯湯タンク１）と、貯湯タンク１に蓄えられている湯水を加熱する熱源、すなわち、湯水（液体）を沸き上げる熱源となるヒートポンプ部としてのＨＰユニット１１を備えて構成される。貯湯タンク１は、筐体に収められてタンクユニットを構成する。また、電気給湯機２０は、ＨＰユニット１１及びタンクユニットを組み合わせて構成される。
【００２５】
貯湯タンク１の下部（例えば、底部１ｂ）には給水口２ａが形成されて給水管２が接続され、例えば水道などの図示しない給水源から貯湯タンク１の下部に水を給水できる。
また、貯湯タンク１の上部（例えば、頂部１ａ）には給湯口３ａが形成されて給湯管３が接続される。給湯管３には給湯栓３ｂが取り付けられ、ユーザによって給湯栓３ｂが開かれると、電気給湯機２０はユーザに湯水を給湯する。
【００２６】
さらに、貯湯タンク１の下部（例えば、底部１ｂ）には、ＨＰユニット１１で加熱する湯水を貯湯タンク１から取り出すための取り出し口４が形成され、貯湯タンク１の上部（例えば、頂部１ａ）には、ＨＰユニット１１で加熱された湯水が貯湯タンク１に戻るための戻り口５が形成される。
【００２７】
取り出し口４は、ＨＰユニット１１の入口部１１ａと入口管６で接続される。入口管６は、貯湯タンク１の取り出し口４からＨＰユニット１１の入口部１１ａまで湯水を導く。
そして、貯湯タンク１に蓄えられている湯水は、取り出し口４を介して入口管６に導入することから、取り出し口４は、入口管６に対する湯水（液体）の導入部となる。
また、戻り口５は、ＨＰユニット１１の出口部１１ｂと出口管７で接続される。出口管７は、ＨＰユニット１１の出口部１１ｂから貯湯タンク１の戻り口５まで湯水を導く。
【００２８】
さらに、貯湯タンク１をバイパスして入口管６と出口管７を接続するバイパス管８が備わり、入口管６とバイパス管８の接続部には、切替機構としてのバイパス弁９が備わっている。
入口管６は、バイパス弁９によって貯湯タンク１側とＨＰユニット１１側に分割されることになり、以下、必要に応じて、入口管６の貯湯タンク１側を入口管上流部６ａ、入口管６のＨＰユニット１１側を入口管下流部６ｂと称する。
【００２９】
ＨＰユニット１１には、冷媒が流れる冷媒回路１１ｃ、冷媒を圧縮する圧縮機１１ｄ、入口部１１ａと出口部１１ｂを接続する内部配管１１ｅを流れる湯水と冷媒が熱交換する水側熱交換器１１ｆ、冷媒回路１１ｃを流れる冷媒と外気が熱交換する空気側熱交換器１１ｇ等が備わって、ヒートポンプが構成される。
冷媒として、例えば二酸化炭素（ＣＯ２）が用いられる。
【００３０】
バイパス弁９は、例えば、３つの接続口９ａ，９ｂ，９ｃを備え、図示しない弁体の動作によって、接続口９ａと接続口９ｂを連通して接続口９ｃを閉じる状態と、接続口９ｂと接続口９ｃを連通して接続口９ａを閉じる状態を択一的に設定できる三方弁である。
【００３１】
そして、バイパス弁９の接続口９ａには入口管上流部６ａが接続され、接続口９ｂには入口管下流部６ｂが接続され、接続口９ｃにはバイパス管８が接続される。
したがって、バイパス弁９が接続口９ａと接続口９ｂを連通する状態に設定されると、入口管上流部６ａと入口管下流部６ｂが連通してバイパス管８は閉じられる。
また、バイパス弁９が接続口９ｂと接続口９ｃを連通する状態に設定されると、入口管下流部６ｂとバイパス管８が連通して入口管上流部６ａは閉じられる。
【００３２】
入口管下流部６ｂとバイパス管８が連通した状態は、ＨＰユニット１１の入口部１１ａと出口管７がバイパス管８を介して接続された状態であり、バイパス弁９がＨＰユニット１１の入口部１１ａを出口管７にバイパス管８を介して接続した状態といえる。このように、バイパス弁９の接続口９ｂと接続口９ｃが連通し、ＨＰユニット１１の入口部１１ａを出口管７にバイパス管８を介して接続した状態を、バイパス弁９の第１の状態とし、これを「バイパス状態」と称する。
【００３３】
また、入口管下流部６ｂと入口管上流部６ａが連通した状態は、ＨＰユニット１１の入口部１１ａと貯湯タンク１の取り出し口４が接続された状態であり、バイパス弁９がＨＰユニット１１の入口部１１ａを貯湯タンク１の取り出し口４（入口管６に対する湯水の導入部）に接続した状態といえる。このように、バイパス弁９の接続口９ａと接続口９ｂが連通して、ＨＰユニット１１の入口部１１ａを入口管６に対する湯水の導入部に接続した状態を、バイパス弁９の第２の状態とし、これを「沸き上げ状態」と称する。
【００３４】
また、貯湯タンク１には、温度計測装置として、貯湯タンク１内の上部（頂部１ａの近傍）の温度を計測する第１温度計１０ａと、貯湯タンク１内の下部（底部１ｂの近傍）の温度を計測する第２温度計１０ｂが備わっている。
第１温度計１０ａは、貯湯タンク１内の上部の温度を計測して温度信号に変換し、第２温度計１０ｂは、貯湯タンク１内の下部の温度を計測して温度信号に変換する。
【００３５】
そして、電気給湯機２０は制御部１２によって制御される。制御部１２は、例えば図示しないＣＰＵ（Central Processing Unit）、ＲＯＭ（Read Only Memory）、ＲＡＭ（Random Access Memory）などを備えるマイクロコンピュータおよび周辺回路などから構成され、例えばＲＯＭに格納されているプログラムをＣＰＵが実行して電気給湯機２０を制御する。
【００３６】
制御部１２には、貯湯タンク１内の上部の温度を計測する第１温度計１０ａ及び貯湯タンク１内の下部の温度を計測する第２温度計１０ｂからそれぞれ温度信号が入力され、制御部１２は、第１温度計１０ａから入力される温度信号に基づいて貯湯タンク１内の上部の温度（以下、上部温度ＴｍｐＨと称する）を算出できる。また、制御部１２は、第２温度計１０ｂから入力される温度信号に基づいて貯湯タンク１内の下部の温度（以下、下部温度ＴｍｐＬと称する）を算出できる。
さらに、制御部１２は、バイパス弁９に制御信号を入力して、バイパス状態と沸き上げ状態のいずれか一方に設定する。
【００３７】
上部温度ＴｍｐＨは、第１温度計１０ａが計測した温度信号に基づいて制御部１２が算出する温度であり、第１温度計１０ａが計測した温度になる。
同様に、下部温度ＴｍｐＬは、第２温度計１０ｂが計測した温度信号に基づいて制御部１２が算出する温度であり、第２温度計１０ｂが計測した温度になる。
【００３８】
制御部１２は、例えば、貯湯タンク１の上部温度ＴｍｐＨが予め設定されている沸き上げ温度より低い場合や貯湯タンク１の下部に水が給水されて下部温度ＴｍｐＬが予め設定されている温度より低い場合、夜間などの電気料金が安価な時間帯に電気給湯機２０を沸き上げ運転する。
なお、電気給湯機２０は、ユーザの操作によって沸き上げ運転する機能を備えていてもよい。
【００３９】
制御部１２は、電気給湯機２０を沸き上げ運転するとき、バイパス弁９を沸き上げ状態に設定するとともに、ＨＰユニット１１に制御信号を送信してヒートポンプを駆動する。
貯湯タンク１の下部に滞留している低温の湯水は、実線の矢印で示すように、例えば図示しないポンプ等によって、入口管６、バイパス弁９を介して入口部１１ａからＨＰユニット１１に取り込まれて内部配管１１ｅを流通し、水側熱交換器１１ｆで高温の冷媒と熱交換して加熱される。加熱されて高温になった湯水は、出口部１１ｂから排出され、出口管７に導かれて貯湯タンク１の上部に形成される戻り口５から貯湯タンク１内に戻る。
【００４０】
戻り口５から貯湯タンク１内の上部に戻った湯水は、ＨＰユニット１１で加熱されて高温の状態であり、そのまま貯湯タンク１の上部に滞留する。そして、ＨＰユニット１１で加熱された沸き上げ温度の湯水より低温の湯水は貯湯タンク１の下部に押しやられる。したがって、貯湯タンク１に蓄えられている湯水のなかで温度の一番低い部分が下部に滞留する。
【００４１】
制御部１２は、例えば、貯湯タンク１の下部温度ＴｍｐＬ、すなわち、貯湯タンク１に蓄えられている湯水のなかで温度の一番低い部分の温度が予め設定される所定の沸き上げ温度になったとき、ＨＰユニット１１に制御信号を送信してヒートポンプを停止する。
【００４２】
このように、電気給湯機２０の沸き上げ運転によって、貯湯タンク１の下部に滞留する低温の湯水がＨＰユニット１１で加熱されて沸き上げ温度の湯水になり、上部から貯湯タンク１に戻る。そして、貯湯タンク１が沸き上げ温度の湯水で満たされる。
【００４３】
また、制御部１２は、ＨＰユニット１１の空気側熱交換器１１ｇの除霜が必要と判定すると、霜を除去すべく、電気給湯機２０を除霜運転する。
具体的に制御部１２は、バイパス弁９をバイパス状態に設定し、その状態でＨＰユニット１１のヒートポンプを駆動する。
【００４４】
ＨＰユニット１１の水側熱交換器１１ｆで冷媒と熱交換して加熱された沸き上げ温度の湯水は、貯湯タンク１に戻ることなく、バイパス管８、バイパス弁９、入口管下流部６ｂを流通して入口部１１ａからＨＰユニット１１に戻る。したがって、水側熱交換器１１ｆを通る湯水は速やかに高温になって水側熱交換器１１ｆで冷媒から熱を奪うことがなくなる。
したがって、冷媒回路１１ｃを循環する冷媒は、圧縮機１１ｄで圧縮された高温の状態が維持され、空気側熱交換器１１ｇに着いた霜を効率よく溶かして除去できる。
このように、第１の実施形態に係る電気給湯機２０は、バイパス弁９をバイパス状態に設定したままで除霜運転することで効率よく空気側熱交換器１１ｇに着いた霜を除去できる。
【００４５】
なお、制御部１２が、空気側熱交換器１１ｇに霜が着いたことを検出する方法は特定の方法に限定されるものではない。例えば、制御部１２は、図示しない温度計が計測する外気温度に応じて冷媒の温度を推定し、推定した冷媒の温度が所定値以下となった場合に、空気側熱交換器１１ｇに霜が着いたと判定する方法とすればよい。
【００４６】
このように構成される電気給湯機２０は、貯湯タンク１の下部に、図示しない給水源（例えば、水道）から給水管２を介して水圧がかかっている。
そして、ユーザが給湯栓３ｂを開くと、破線の矢印で示すように、貯湯タンク１の上部に滞留している沸き上げ温度の湯水は、貯湯タンク１の下部にかかる水圧によって給湯口３ａから押し出されて給湯管３を流通する。給湯管３を流通する湯水は、図示しない混合弁で例えば水道水と混合されてユーザが要求する温度に調節され、給湯栓３ｂからユーザに給湯される。また、貯湯タンク１の下部には、破線の矢印で示すように、図示しない給水源から給水管２を介して水（低温）が供給される。
そして、貯湯タンク１の下部には、ユーザに給湯された湯水の量に見合う量の水が補給され、貯湯タンク１は満水の状態が維持される。
【００４７】
貯湯タンク１の上部に滞留する沸き上げ温度の湯水と貯湯タンク１の下部に補給された低温の水の間には境界層が形成され、沸き上げ温度の湯水と低温の水は混合することなく、分離した状態になる。
そして、貯湯タンク１の上部に滞留している沸き上げ温度の湯水の温度が低下することがなく、貯湯タンク１の内部は、上部が高温で下部が低温になるように温度分布する。
【００４８】
また、貯湯タンク１に境界層が形成されると、入口管６、出口管７、バイパス管８からなる配管にも境界層が形成され、入口管６、出口管７、バイパス管８からなる配管は、上部が高温で下部が低温になるように温度分布する。
【００４９】
例えば、バイパス弁９が沸き上げ状態に設定され、ＨＰユニット１１の入口部１１ａが貯湯タンク１の取り出し口４に接続されている場合、貯湯タンク１に境界層が形成される高さと、入口管６、出口管７、バイパス管８からなる配管に境界層が形成される高さに高低差が生じると、その高低差を解消するため、湯水が貯湯タンク１とＨＰユニット１１を循環するように流れて自然対流（給湯機対流）が発生する。
そして、給湯機対流によって貯湯タンク１に蓄えられている湯水が攪拌されて温度が均一になり、貯湯タンク１内の温度分布が一様になる。その結果、貯湯タンク１の上部に滞留している沸き上げ温度の湯水の温度が低下してしまう。
【００５０】
一方、バイパス弁９がバイパス状態に設定されていると、入口管上流部６ａはバイパス弁９によって閉じられることから、貯湯タンク１に境界層が形成される高さと、入口管６、出口管７、バイパス管８からなる配管に境界層が形成される高さに高低差が生じても、湯水が貯湯タンク１とＨＰユニット１１を循環せず、給湯機対流は発生しない。
したがって、貯湯タンク１の上部に滞留している沸き上げ温度の湯水の温度低下を抑えることができる。
そこで、制御部１２は、沸き上げ運転をしないときには、バイパス弁９をバイパス状態に設定して、給湯機対流が発生しない構成とする。
【００５１】
以上のように構成される電気給湯機２０において、工場から出荷された新品の電気給湯機２０を、ユーザが使用する場所に新規設置した後、試運転する場合がある。このときユーザは、空の貯湯タンク１に水を給水することになるが、バイパス弁９がバイパス状態に設定されていると、入口管上流部６ａは、入口管下流部６ｂと遮断された状態であり、さらにバイパス弁９によって閉じられている。したがって、入口管上流部６ａに滞留している空気を、貯湯タンク１に給水する水で押し出すことができず、入口管上流部６ａに水が給水されない。すなわち、入口管上流部６ａに水が満たされない。そのため、ユーザは、呼び水をして入口管上流部６ａに水を満たす必要がある。したがって、試運転のときの給水作業の際に、呼び水する作業が必要になり、給水作業に要する時間が長くなる。
【００５２】
このように、電気給湯機２０の新規設置時に、バイパス弁９が、ＨＰユニット１１の入口部１１ａをバイパス管８を介して出口管７に接続するバイパス状態に設定されていると、給水作業の際に呼び水をする作業が必要になって、給水作業に要する時間が長くなることから、試運転に要する時間が長くなり、電気給湯機２０を効率よく新規設置することができない。
したがって、電気給湯機２０の新規設置時には、バイパス弁９が、ＨＰユニット１１の入口部１１ａを貯湯タンク１の取り出し口４に接続する沸き上げ状態に設定されていることが好適である。
【００５３】
そこで、第１の実施形態に係る電気給湯機２０は、新規設置時に、バイパス弁９を沸き上げ状態に設定する構成とする。さらに、電気給湯機２０の制御部１２の稼動時間が所定時間以上の場合、制御部１２は、沸き上げ運転しているときはバイパス弁９を沸き上げ状態に設定し、沸き上げ運転していないときはバイパス弁９をバイパス状態に設定する構成とする。具体的に稼動時間は、電気給湯機２０の制御部１２が最初に起動してから実際に稼動している時間の合計である総稼動時間である。
【００５４】
図１に示す電気給湯機２０において、貯湯タンク１の上部と下部をＨＰユニット１１を介して接続したときに発生する給湯機対流は、貯湯タンク１の上部に沸き上げ温度の湯水が滞留して、下部に沸き上げ温度より低温の湯水が滞留しているときなど、貯湯タンク１の上部と下部に温度差が生じているときに発生する。したがって、貯湯タンク１の上部と下部で温度差が生じなければ、貯湯タンク１の上部と下部をＨＰユニット１１を介して接続しても給湯機対流は発生しない。
【００５５】
そこで、第１の実施形態に係る電気給湯機２０の制御部１２は、総稼動時間が、予め設定される所定時間Ｔｉｍ１未満で、且つ、貯湯タンク１の上部温度ＴｍｐＨと下部温度ＴｍｐＬの温度差ΔＴｍｐＨＬが、予め設定される所定温度差ΔＴｍｐ１未満のときは、バイパス弁９を沸き上げ状態に設定する構成とする。
【００５６】
制御部１２は、例えば、工場出荷時の出荷検査などで電気給湯機２０が最初に起動するときに最初に起動する。
このときに制御部１２が総稼動時間の計測を開始する構成とし、所定時間Ｔｉｍ１を、電気給湯機２０の出荷検査に要する時間より充分長い時間とすれば、出荷検査時の制御部１２の総稼動時間は所定時間Ｔｉｍ１未満となる。
【００５７】
したがって、出荷検査で制御部１２が起動したときに、貯湯タンク１の上部温度ＴｍｐＨと下部温度ＴｍｐＬの温度差ΔＴｍｐＨＬが所定温度差ΔＴｍｐ１未満であれば、制御部１２は、バイパス弁９を沸き上げ状態に設定する。
また、貯湯タンク１の上部温度ＴｍｐＨと下部温度ＴｍｐＬの温度差ΔＴｍｐＨＬが所定温度差ΔＴｍｐ１以上であれば、制御部１２は、バイパス弁９をバイパス状態に設定する。
このように、第１の実施形態に係る電気給湯機２０の制御部１２は、総稼動時間が所定時間Ｔｉｍ１未満のとき、貯湯タンク１の上部温度ＴｍｐＨと下部温度ＴｍｐＬに基づいてバイパス弁９を制御する。
【００５８】
また、制御部１２の総稼動時間が所定時間Ｔｉｍ１以上のとき、制御部１２は、上部温度ＴｍｐＨと下部温度ＴｍｐＬの温度差ΔＴｍｐＨＬによらず、電気給湯機２０が沸き上げ運転するときにはバイパス弁９を沸き上げ状態に設定し、沸き上げ運転しないときにはバイパス状態に設定する構成とする。
【００５９】
バイパス弁９を沸き上げ状態に設定すると判定するために、制御部１２が、上部温度ＴｍｐＨと下部温度ＴｍｐＬの温度差ΔＴｍｐＨＬと比較する所定温度差ΔＴｍｐ１は特定のものに限定される値ではなく、電気給湯機２０に要求される仕様等に基づいて適宜設定すればよい。
例えば、給湯機対流が発生したときに、貯湯タンク１の上部に滞留している沸き上げ温度の湯水に許容される温度低下の値を所定温度差ΔＴｍｐ１とすることができる。
一例を挙げると、「８０℃」の湯水を給湯可能とする電気給湯機２０の場合、沸き上げ温度が「９０℃」であれば、貯湯タンク１に蓄えられる湯水には、「１０℃（９０℃−８０℃）」の温度低下が許容されることになり、所定温度差ΔＴｍｐ１を「１０℃」と設定できる。
【００６０】
所定温度差ΔＴｍｐ１を「１０℃」に設定すると、例えば、貯湯タンク１の上部温度ＴｍｐＨと下部温度ＴｍｐＬの温度差ΔＴｍｐＨＬが「５℃」の場合、バイパス弁９は、沸き上げ状態に設定され、給湯機対流が発生する場合がある。
しかしながら、給湯機対流が発生して貯湯タンク１内の温度が一様になっても、貯湯タンク１の上部に滞留している沸き上げ温度の湯水は「５℃」以上温度低下しない。
すなわち、沸き上げ温度が「９０℃」であれば、貯湯タンク１には「８５℃（９０℃−５℃）」以上の湯水が蓄えられることになり、電気給湯機２０は「８０℃」の湯水をユーザに給湯できる。
温度の具体的な数値は一例であって、これらの値に限定されるものではないが、所定温度差ΔＴｍｐ１は、「０℃」より充分に大きな値であることが好適である。
【００６１】
また、所定時間Ｔｉｍ１は、例えば、電気給湯機２０の出荷検査に要する時間と、電気給湯機２０の試運転に要する時間の合計とすればよく、実験等で予め決定しておけばよい。
所定時間Ｔｉｍ１をこのように設定すると、制御部１２は、総稼動時間が所定時間Ｔｉｍ１以上のとき、電気給湯機２０の出荷検査及び試運転が終了したと判定できる。
【００６２】
工場出荷時の電気給湯機２０の貯湯タンク１は空であり、貯湯タンク１の上部温度ＴｍｐＨと下部温度ＴｍｐＬは共に大気温度に近い温度であることから、貯湯タンク１の上部温度ＴｍｐＨと下部温度ＴｍｐＬの温度差ΔＴｍｐＨＬは「０℃」に近くなる。
所定温度差ΔＴｍｐ１が「０℃」より充分に大きな値に設定されていると、出荷検査時に制御部１２が起動したとき、貯湯タンク１の上部温度ＴｍｐＨと下部温度ＴｍｐＬの温度差ΔＴｍｐＨＬは所定温度差ΔＴｍｐ１未満になる。
【００６３】
また、所定時間Ｔｉｍ１を、例えば、電気給湯機２０の出荷検査に要する時間と試運転に要する時間の合計とすると、所定時間Ｔｉｍ１は出荷検査に要する時間より充分に長くなる。
したがって、出荷検査時の制御部１２の総稼動時間は所定時間Ｔｉｍ１未満になる。
【００６４】
このように、電気給湯機２０の出荷検査時、貯湯タンク１の上部温度ＴｍｐＨと下部温度ＴｍｐＬの温度差ΔＴｍｐＨＬは所定温度差ΔＴｍｐ１未満になり、且つ、制御部１２の総稼動時間は所定時間Ｔｉｍ１未満になることから、制御部１２はバイパス弁９を沸き上げ状態に設定する。
【００６５】
したがって、出荷検査後に工場等から出荷される電気給湯機２０のバイパス弁９は、沸き上げ状態に設定されている。
そして、ユーザは、バイパス弁９が沸き上げ状態に設定されている電気給湯機２０を、使用する場所に新規設置することができる。
【００６６】
さらに、制御部１２は、総稼動時間が所定時間Ｔｍｐ１以上のとき、すなわち、電気給湯機２０の出荷検査及び試運転が終了したと判定したとき、貯湯タンク１の上部温度ＴｍｐＨと下部温度ＴｍｐＬの温度差ΔＴｍｐＨＬが所定温度差ΔＴｍｐ１未満であっても、電気給湯機２０が沸き上げ運転していないときには、バイパス弁９をバイパス状態に設定する。
【００６７】
この構成によって、出荷検査及び試運転が終了した電気給湯機２０は、例えば、貯湯タンク１が均一に沸き上げ温度の湯水で満たされ、貯湯タンク１の上部温度ＴｍｐＨと下部温度ＴｍｐＬの温度差ΔＴｍｐＨＬが所定温度差ΔＴｍｐ１未満になっても、バイパス弁９がバイパス状態に設定される。
すなわち、制御部１２は、電気給湯機２０の出荷検査と試運転が終了した後は、貯湯タンク１の上部温度ＴｍｐＨと下部温度ＴｍｐＬに応じてバイパス弁９の設定を変更する必要がなくなり、制御部１２は単純なロジックでバイパス弁９を制御できる。
【００６８】
制御部１２がバイパス弁９を単純なロジックで制御できる場合、制御部１２の図示しないＣＰＵの演算負荷を小さくすることができることから、例えば、安価なＣＰＵを使用することによる制御部１２のコストダウンなどの効果を得ることができる。
【００６９】
図２を参照して、第１の実施形態に係る制御部１２がバイパス弁９を制御する手順を説明する（適宜図１参照）。
この手順は、例えば、制御部１２が実行するプログラムにサブルーチンとして組み込まれ、制御部１２が適宜実行する構成とすればよい。
【００７０】
制御部１２がバイパス弁９を制御する手順を開始したとき、制御部１２の最初の起動のときは（ステップＳ１→Ｙｅｓ）、制御部１２は総稼動時間の計測を開始してから（ステップＳ２）、ステップＳ３に手順を進め、最初の起動でなければ（ステップＳ１→Ｎｏ）、制御部１２はそのままステップＳ３に手順を進める。
【００７１】
例えば制御部１２は、最初の起動を示すフラグＳｔを備える。制御部１２は、最初の起動か否かを最初に判定した後、すなわち、最初にステップＳ１を実行した後に、例えば「１」をフラグＳｔに設定する。制御部１２はステップＳ１において、フラグＳｔに「１」が設定されていなければ最初の起動と判定し（ステップＳ１→Ｙｅｓ）、フラグＳｔに「１」が設定されていれば最初の起動ではないと判定する（ステップＳ１→Ｎｏ）。
【００７２】
制御部１２は、総稼動時間が所定時間Ｔｉｍ１以上のとき（ステップＳ３→Ｎｏ）、電気給湯機２０の出荷検査及び試運転が終了したと判定する。そして、電気給湯機２０が沸き上げ運転するときにはバイパス弁９を沸き上げ状態に設定し、沸き上げ運転しないときにはバイパス弁９をバイパス状態に設定する（ステップＳ８）。
【００７３】
一方、総稼動時間が所定時間Ｔｉｍ１未満のとき（ステップＳ３→Ｙｅｓ）、制御部１２は、貯湯タンク１の上部温度ＴｍｐＨ、下部温度ＴｍｐＬ、及び上部温度ＴｍｐＨと下部温度ＴｍｐＬの温度差ΔＴｍｐＨＬを算出する（ステップＳ４）。
【００７４】
前記したように、制御部１２には、貯湯タンク１内の上部の温度を計測する第１温度計１０ａ及び貯湯タンク１内の下部の温度を計測する第２温度計１０ｂからそれぞれ温度信号が入力される。
したがって、制御部１２は、第１温度計１０ａから入力される温度信号に基づいて上部温度ＴｍｐＨを算出し、第２温度計１０ｂから入力される温度信号に基づいて下部温度ＴｍｐＬを算出する。
さらに、制御部１２は、上部温度ＴｍｐＨから下部温度ＴｍｐＬを減算して温度差ΔＴｍｐＨＬを算出する。
【００７５】
そして、算出した温度差ΔＴｍｐＨＬが予め設定される所定温度差ΔＴｍｐ１未満のとき（ステップＳ５→Ｙｅｓ）、制御部１２はバイパス弁９を沸き上げ状態に設定し（ステップＳ６）、温度差ΔＴｍｐＨＬが所定温度差ΔＴｍｐ１以上のとき（ステップＳ５→Ｎｏ）、制御部１２は、バイパス弁９をバイパス状態に設定する（ステップＳ７）。
【００７６】
なお、第１の実施形態に係る電気給湯機２０の制御部１２は、総稼動時間が所定時間Ｔｉｍ１未満（ステップＳ３→Ｙｅｓ）で、貯湯タンク１の上部温度ＴｍｐＨと下部温度ＴｍｐＬの温度差ΔＴｍｐＨＬが所定温度差ΔＴｍｐ１以上の場合（ステップＳ５→Ｎｏ）に、ステップＳ７の手順を実行してバイパス弁９をバイパス状態に設定するが、この場合であっても、沸き上げ運転するときには、バイパス弁９を沸き上げ状態に設定する構成が好適である。
【００７７】
以上のように、図１に示す、第１の実施形態に係る電気給湯機２０の制御部１２は、総稼動時間が所定時間Ｔｉｍ１未満のとき、貯湯タンク１の上部温度ＴｍｐＨと下部温度ＴｍｐＬに基づいてバイパス弁９を制御する。
換言すると、制御部１２は、総稼動時間が所定時間Ｔｉｍ１未満のとき、貯湯タンク１内の温度に基づいてバイパス弁９を制御する。
そして、制御部１２は、貯湯タンク１内の温度に基づいてバイパス弁９を制御するとき、すなわち、総稼動時間が所定時間Ｔｉｍ１未満のとき、貯湯タンク１の上部温度ＴｍｐＨと下部温度ＴｍｐＬの温度差ΔＴｍｐＨＬが所定温度差ΔＴｍｐ１未満の場合にバイパス弁９を沸き上げ状態に設定し、温度差ΔＴｍｐＨＬが所定温度差ΔＴｍｐ１以上の場合にバイパス弁９をバイパス状態に設定する。
【００７８】
さらに、制御部１２は、総稼動時間が所定時間Ｔｉｍ１以上の場合、沸き上げ運転するときにはバイパス弁９を沸き上げ状態に設定し、沸き上げ運転しないときにはバイパス弁９をバイパス状態に設定する。
【００７９】
例えば、図１に示す電気給湯機２０の貯湯タンク１が空の場合、貯湯タンク１の上部温度ＴｍｐＨと下部温度ＴｍｐＬは共に大気温度に近く、温度差ΔＴｍｐＨＬは「０℃」に近い値になる。
工場出荷時の貯湯タンク１は空であり、所定温度差ΔＴｍｐ１は「０℃」より充分に大きく設定されることから、電気給湯機２０の出荷検査時に、上部温度ＴｍｐＨと下部温度ＴｍｐＬの温度差ΔＴｍｐＨＬは所定温度差ΔＴｍｐ１未満になる。
また、前記したように、所定時間Ｔｉｍ１は、電気給湯機２０の出荷検査に要する時間より充分に長く設定されることから、出荷検査の終了時における制御部１２の総稼動時間は所定時間Ｔｉｍ１未満になる。
【００８０】
したがって、電気給湯機２０の出荷検査時に、電気給湯機２０の最初の起動にともなって制御部１２が最初に起動したとき、制御部１２は、図２に示す手順のステップＳ６を実行してバイパス弁９を沸き上げ状態に設定する。
このことによって、工場から出荷されてユーザが使用する場所に新規設置される電気給湯機２０のバイパス弁９は沸き上げ状態に設定されている。
【００８１】
バイパス弁９が沸き上げ状態に設定されていると、ユーザが空の貯湯タンク１に水を給水するとき、入口管上流部６ａに滞留している空気はＨＰユニット１１を通って押し出され、呼び水をすることなく入口管上流部６ａに水を満たすことができる。
したがって、例えば試運転のときの給水作業に呼び水をする作業が必要がなくなり、速やかに給水作業ができる。ひいては、試運転に要する時間を短縮できる。
【００８２】
さらに、総稼動時間が所定時間Ｔｉｍ１以上のとき、制御部１２は、電気給湯機２０が沸き上げ運転するときにはバイパス弁９を沸き上げ状態に設定し、沸き上げ運転しないときにはバイパス弁９をバイパス状態に設定するという、単純なロジックでバイパス弁９を制御することができる。
したがって、沸き上げ運転していない電気給湯機２０のバイパス弁９はバイパス状態に設定され、貯湯タンク１の上部が高温で下部が低温になっても、給湯機対流は発生せず、貯湯タンク１の上部に滞留している沸き上げ温度の湯水の温度低下を抑えることができる。
さらに、制御部１２は、簡単なロジックでバイパス弁９を制御できることから、例えば、前記したように、安価なＣＰＵを使用することができ、制御部１２をコストダウンすることができる。
【００８３】
また、例えば、ユーザが、貯湯タンク１に湯水が蓄えられている電気給湯機２０の制御部１２を交換した後、電気給湯機２０に新たに取り付けた制御部１２を起動すると、その制御部１２は最初の起動になることから、制御部１２の総稼動時間は所定時間Ｔｉｍ１未満になる。
このとき、貯湯タンク１の上部に沸き上げ温度の湯水が滞留して下部に低温の湯水が滞留し、上部温度ＴｍｐＨと下部温度ＴｍｐＬの温度差ΔＴｍｐＨＬが所定温度差ΔＴｍｐ１以上であれば、制御部１２は、図２に示す手順のステップＳ７を実行して、バイパス弁９をバイパス状態に設定する。
前記したように、バイパス弁９がバイパス状態に設定されると、入口管上流部６ａがバイパス弁９によって閉じられ、貯湯タンク１の上部と下部はＨＰユニット１１を介して接続されず、給湯機対流は発生しない。
【００８４】
一方、貯湯タンク１が均一に沸き上げ温度の湯水で満たされ、上部温度ＴｍｐＨと下部温度ＴｍｐＬの温度差ΔＴｍｐＨＬが所定温度差ΔＴｍｐ１未満のとき、制御部１２は、図２に示す手順のステップＳ６を実行して、バイパス弁９を沸き上げ状態に設定する。
バイパス弁９は、ＨＰユニット１１の入口部１１ａを貯湯タンク１の取り出し口４に接続することから、貯湯タンク１の上部と下部はＨＰユニット１１を介して接続されるが、貯湯タンク１の上部と下部で温度差が生じていないため、給湯機対流は発生しない。
【００８５】
そして、貯湯タンク１に蓄えられている湯水がユーザに給湯され、貯湯タンク１の下部に低温の水が補給されると、貯湯タンク１の下部温度ＴｍｐＬが下がる。そして、上部温度ＴｍｐＨと下部温度ＴｍｐＬの温度差ΔＴｍｐＨＬが所定温度差ΔＴｍｐ１以上になると、制御部１２は、図２に示す手順のステップＳ７を実行して、バイパス弁９をバイパス状態に設定する。したがって、貯湯タンク１の上部が高温で下部が低温になっても、給湯機対流は発生しない。
【００８６】
このように、第１の実施形態に係る電気給湯機２０は、制御部１２が交換された場合に総稼動時間が所定時間Ｔｉｍ１未満のとき、貯湯タンク１の上部温度ＴｍｐＨと下部温度ＴｍｐＬの温度差ΔＴｍｐＨＬが所定温度差ΔＴｍｐ１以上であれば、制御部１２がバイパス弁９をバイパス状態に設定する。したがって、給湯機対流の発生を抑えることができ、貯湯タンク１の上部に滞留している沸き上げ温度の湯水の温度低下を抑えることができる。
【００８７】
そして、総稼動時間が所定時間Ｔｉｍ１以上のとき、制御部１２は、沸き上げ運転していなければバイパス弁９をバイパス状態に設定する。したがって、給湯機対流は発生しない。
【００８８】
以上のように、第１の実施形態に係る電気給湯機２０（図１参照）は、ユーザが新規設置するときには、バイパス弁９（図１参照）が沸き上げ状態に設定され、ユーザが試運転に要する時間を短縮できる。
また、貯湯タンク１（図１参照）の上部が高温で下部が低温になっても、給湯機対流の発生を抑えることができ、貯湯タンク１の上部に滞留している沸き上げ温度の湯水の温度低下を抑えることができる。
さらに、貯湯タンク１に湯水が蓄えられている電気給湯機２０の制御部１２を交換した場合であっても、給湯機対流の発生を抑えることができ、貯湯タンク１の上部に滞留している沸き上げ温度の湯水の温度低下を抑えることができる。
【００８９】
《第２の実施形態》
第２の実施形態に係る電気給湯機は、図１に示す第１の実施形態に係る電気給湯機２０と同じ構成であり、制御部１２がバイパス弁９を制御する手順が第１の実施形態と異なる。
【００９０】
第２の実施形態に係る電気給湯機２０は、制御部１２の総稼動時間が所定時間Ｔｉｍ１未満のとき、貯湯タンク１の上部温度ＴｍｐＨが予め設定される所定温度Ｔｍｐ２未満のときは、貯湯タンク１が空であると判定してバイパス弁９を沸き上げ状態に設定する構成とする。
制御部１２がバイパス弁９を沸き上げ状態に設定するか否かを判定するための所定温度Ｔｍｐ２は、例えば、大気温度より充分に高く、電気給湯機２０に設定される沸き上げ温度より低い温度が好適であり、実験等によって最適な所定温度Ｔｍｐ２を設定すればよい。
また、第２の実施形態における所定時間Ｔｉｍ１は、第１の実施形態における所定時間Ｔｉｍ１とすることができる。
【００９１】
そして、制御部１２の総稼動時間が所定時間Ｔｉｍ１以上のとき、制御部１２は、第１の実施形態と同様に、電気給湯機２０が沸き上げ運転するときにはバイパス弁９を沸き上げ状態に設定し、沸き上げ運転しないときにはバイパス状態に設定する構成とする。
【００９２】
図３を参照して、第２の実施形態に係る制御部１２がバイパス弁９を制御する手順を説明する（適宜図１参照）。
この手順は、第１の実施形態と同様に、例えば、制御部１２が実行するプログラムにサブルーチンとして組み込まれ、制御部１２が適宜実行する構成とすればよい。
なお、図２に示す手順と同じ手順については同じ符号を付し、詳細な説明は適宜省略する。
【００９３】
制御部１２がバイパス弁９を制御する手順を開始したとき、制御部１２の最初の起動のときは（ステップＳ１→Ｙｅｓ）、制御部１２は総稼動時間の計測を開始してから（ステップＳ２）、ステップＳ３に手順を進め、最初の起動でなければ（ステップＳ１→Ｎｏ）、制御部１２はそのままステップＳ３に手順を進める。
【００９４】
そして、制御部１２は、総稼動時間が所定時間Ｔｉｍ１以上のとき（ステップＳ３→Ｎｏ）、電気給湯機２０が沸き上げ運転するときにはバイパス弁９を沸き上げ状態に設定し、沸き上げ運転しないときにはバイパス弁９をバイパス状態に設定する（ステップＳ８）。
【００９５】
一方、総稼動時間が所定時間Ｔｉｍ１未満のとき（ステップＳ３→Ｙｅｓ）、制御部１２は、貯湯タンク１の上部温度ＴｍｐＨを算出する（ステップＳ１０）。
前記したように、制御部１２には、貯湯タンク１内の上部の温度を計測する第１温度計１０ａから温度信号が入力されることから、制御部１２は、第１温度計１０ａから入力される温度信号に基づいて上部温度ＴｍｐＨを算出する。
【００９６】
そして、貯湯タンク１の上部温度ＴｍｐＨが予め設定される所定温度Ｔｍｐ２未満のとき（ステップＳ１１→Ｙｅｓ）、制御部１２は、貯湯タンク１が空であると判定する。そして、制御部１２はバイパス弁９を沸き上げ状態に設定する（ステップＳ６）。
一方、上部温度ＴｍｐＨが所定温度Ｔｍｐ２以上のとき（ステップＳ１１→Ｎｏ）、制御部１２は、貯湯タンク１に沸き上げ温度の湯水が蓄えられていると判定する。そして、バイパス弁９をバイパス状態に設定する（ステップＳ７）。
【００９７】
なお、第２の実施形態に係る電気給湯機２０の制御部１２は、総稼動時間が所定時間Ｔｉｍ１未満（ステップＳ３→Ｙｅｓ）で、貯湯タンク１の上部温度ＴｍｐＨが所定温度Ｔｍｐ２以上の場合（ステップＳ１１→Ｎｏ）に、ステップＳ７の手順を実行してバイパス弁９をバイパス状態に設定するが、この場合であっても、沸き上げ運転するときには、バイパス弁９を沸き上げ状態に設定する構成が好適である。
【００９８】
以上のように、図１に示す、第２の実施形態に係る電気給湯機２０の制御部１２は、総稼動時間が所定時間Ｔｉｍ１未満のとき、貯湯タンク１の上部温度ＴｍｐＨに基づいてバイパス弁９を制御する。
換言すると、制御部１２は、総稼動時間が所定時間Ｔｉｍ１未満のとき、貯湯タンク１内の温度に基づいてバイパス弁９を制御する。
そして、制御部１２は、貯湯タンク１内の温度に基づいてバイパス弁９を制御するとき、すなわち、総稼動時間が所定時間Ｔｉｍ１未満のとき、貯湯タンク１の上部温度ＴｍｐＨが所定温度Ｔｍｐ２未満の場合にバイパス弁９を沸き上げ状態に設定し、上部温度ＴｍｐＨが所定温度Ｔｍｐ２以上の場合にバイパス弁９をバイパス状態に設定する。
【００９９】
さらに、制御部１２は、総稼動時間が所定時間Ｔｉｍ１以上の場合、沸き上げ運転するときにはバイパス弁９を沸き上げ状態に設定し、沸き上げ運転しないときにはバイパス弁９をバイパス状態に設定する。
【０１００】
例えば、図１に示す電気給湯機２０の貯湯タンク１が空の場合、貯湯タンク１の上部温度ＴｍｐＨは大気温度と近い温度であることから、大気温度より充分に高く設定される所定温度Ｔｍｐ２未満になる。
工場出荷時の貯湯タンク１は空であることから、電気給湯機２０の出荷検査時に、上部温度ＴｍｐＨは所定温度Ｔｍｐ２未満になる。
また、前記したように、所定時間Ｔｉｍ１は、例えば電気給湯機２０の出荷検査に要する時間と試運転に要する時間の合計であり、電気給湯機２０の出荷検査に要する時間より充分に長く設定されることから、出荷検査時における制御部１２の総稼動時間は所定時間Ｔｉｍ１未満になる。
【０１０１】
したがって、電気給湯機２０の出荷検査時に、電気給湯機２０の最初の起動にともなって制御部１２が最初に起動したとき、制御部１２は、図３に示す手順のステップＳ６を実行してバイパス弁９を沸き上げ状態に設定する。
このことによって、工場から出荷されてユーザが使用する場所に新規設置される電気給湯機２０のバイパス弁９は沸き上げ状態に設定されている。
【０１０２】
そして、第１の実施形態と同様に、例えば、試運転のときの給水作業に、呼び水をする作業が必要なくなる。したがって、速やかに給水作業ができることになり、試運転に要する時間を短縮できる。
【０１０３】
さらに、第１の実施形態と同様に、総稼動時間が所定時間Ｔｉｍ１以上のとき、制御部１２は、貯湯タンク１が沸き上げ運転するときにはバイパス弁９を沸き上げ状態に設定し、沸き上げ運転しないときにはバイパス弁９をバイパス状態に設定するという、単純なロジックでバイパス弁９を制御することができる。
【０１０４】
また、例えば、ユーザが、貯湯タンク１に湯水が蓄えられている電気給湯機２０の制御部１２を交換した後、電気給湯機２０に新たに取り付けた制御部１２を起動すると、その制御部１２は最初の起動になることから、制御部１２の総稼動時間は所定時間Ｔｉｍ１未満になる。
このとき、貯湯タンク１の上部に沸き上げ温度の湯水が滞留して上部温度ＴｍｐＨが所定温度Ｔｍｐ２以上であれば、制御部１２は、図３に示す手順のステップＳ７を実行して、バイパス弁９をバイパス状態に設定する。
前記したように、バイパス弁９がバイパス状態に設定されると、入口管上流部６ａがバイパス弁９によって閉じられ、貯湯タンク１の上部と下部はＨＰユニット１１を介して接続されず、貯湯タンク１の下部温度ＴｍｐＬが低くなっても給湯機対流は発生しない。
【０１０５】
一方、貯湯タンク１の上部温度ＴｍｐＨが所定温度Ｔｍｐ２未満の場合、制御部１２は、図３に示す手順のステップＳ６を実行して、バイパス弁９を沸き上げ状態に設定する。
バイパス弁９は、ＨＰユニット１１の入口部１１ａを貯湯タンク１の取り出し口４に接続することから、貯湯タンク１の上部と下部はＨＰユニット１１を介して接続され、貯湯タンク１の上部と下部に温度差が生じると給湯機対流が発生する場合がある。
しかしながら、この場合に貯湯タンク１に蓄えられている湯水の温度はもともと低く、給湯機対流によって貯湯タンク１の上部に滞留している湯水の温度が低下してもその影響は小さい。
【０１０６】
このように、第２の実施形態に係る電気給湯機２０においても、第１の実施形態と同様、制御部１２が交換された場合にも、貯湯タンク１の上部に滞留している沸き上げ温度の湯水の温度低下を抑えることができる。
【０１０７】
そして、総稼動時間が所定時間Ｔｉｍ１以上のとき、制御部１２は、沸き上げ運転していなければバイパス弁９をバイパス状態に設定する。したがって、給湯機対流は発生しない。
【０１０８】
以上のように、第２の実施形態に係る電気給湯機２０（図１参照）は、ユーザが新規設置するときには、バイパス弁９（図１参照）が沸き上げ状態に設定され、ユーザが試運転に要する時間を短縮できる。
また、貯湯タンク１（図１参照）の上部が高温で下部が低温になっても、給湯機対流の発生を抑えることができ、貯湯タンク１の上部に滞留している沸き上げ温度の湯水の温度低下を抑えることができる。
【０１０９】
なお、第２の実施形態において、図１に示す制御部１２は、貯湯タンク１の上部温度ＴｍｐＨが所定温度Ｔｍｐ２未満であることを算出して貯湯タンク１が空であると判定したが、例えば、図示しない水位センサの検出値に基づいて、制御部１２が、貯湯タンク１が空であると判定する構成であってもよい。
【０１１０】
例えば、図示しない水位センサを貯湯タンク１に備える電気給湯機２０とし、制御部１２は、図示しない水位センサの検出値に基づいて貯湯タンク１に蓄えられている湯水の水位を算出する。そして、貯湯タンク１の水位が予め設定される所定値より低いとき、制御部１２は、貯湯タンク１が空であると判定する構成であってもよい。
【０１１１】
そして、制御部１２は、総稼動時間が所定時間Ｔｉｍ１未満のとき、算出した水位によって貯湯タンク１が空であると判定したときに、バイパス弁９を沸き上げ状態に設定する構成とする。
前記したように、工場出荷時の電気給湯機２０は、貯湯タンク１が空であることから、出荷検査時に制御部１２が起動したとき、制御部１２はバイパス弁９を沸き上げ状態に設定する。
したがって、工場から出荷されてユーザが使用する場所に新規設置される電気給湯機２０のバイパス弁９は沸き上げ状態に設定されている。
そして、第１の実施形態、第２の実施形態と同様に、例えば、試運転のときの給水作業に呼び水をする作業が必要なくなる。したがって、速やかに給水作業ができることになり、試運転に要する時間を短縮できる。
【０１１２】
また、第２の実施形態において、図１に示す制御部１２は、貯湯タンク１の下部温度ＴｍｐＬを計測しない。したがって、例えば、第２温度計１０ｂを備えない構成であってもよく、電気給湯機２０をコストダウンすることができる。
【０１１３】
以上のように、図１に示す電気給湯機２０は、ユーザが使用場所に新規設置するときにバイパス弁９が沸き上げ状態に設定され、例えば試運転のときなど、ユーザが空の貯湯タンク１に水を給水すると、呼び水をすることなく入口管上流部６ａに水が給水される。
したがって、例えば試運転のときに速やかに給水作業ができる。
また、制御部１２の総稼動時間が所定時間Ｔｉｍ１未満のとき、制御部１２は貯湯タンク１内の温度に基づいてバイパス弁９を制御し、給湯機対流の発生を抑えることができる。
そして、貯湯タンク１の上部に滞留する沸き上げ温度の湯水の温度低下を抑えることができる。
【０１１４】
さらに、制御部１２の総稼動時間が所定時間Ｔｉｍ１以上の場合、制御部１２は、沸き上げ運転するときにはバイパス弁９を沸き上げ状態に設定し、沸き上げ運転しないときにはバイパス弁９をバイパス状態に設定する。
したがって、制御部１２は、貯湯タンク１の温度に応じてバイパス弁９の設定を変更する必要がなくなり、単純なロジックでバイパス弁９を制御できる。
【０１１５】
なお、第１の実施形態及び第２の実施形態において、図１に示す電気給湯機２０の制御部１２は、総稼動時間が所定時間Ｔｉｍ１以上の場合、沸き上げ運転するときにはバイパス弁９を沸き上げ状態に設定し、沸き上げ運転しないときにはバイパス弁９をバイパス状態に設定する構成としたが、制御部１２の総稼動時間にかかわらず、常に貯湯タンク１内の温度に基づいてバイパス弁９を制御する構成であってもよい。
【０１１６】
例えば、第１の実施形態に係る電気給湯機２０において、制御部１２は、総稼動時間にかかわらず、貯湯タンク１の上部温度ＴｍｐＨと下部温度ＴｍｐＬと温度差ΔＴｍｐＨＬを算出する。そして、温度差ΔＴｍｐＨＬが所定温度差ΔＴｍｐ１未満のときはバイパス弁９を沸き上げ状態に設定し、温度差ΔＴｍｐＨＬが所定温度差ΔＴｍｐ１以上のときはバイパス弁９をバイパス状態に設定する構成とする。
また、制御部１２は、沸き上げ運転するときにはバイパス弁９を沸き上げ状態に設定する。
【０１１７】
貯湯タンク１の上部に沸き上げ温度の湯水が滞留し、下部に沸き上げ温度より低温の湯水が滞留して、上部温度ＴｍｐＨと下部温度ＴｍｐＬの温度差ΔＴｍｐＨＬが所定温度差ΔＴｍｐ１以上になると、制御部１２はバイパス弁９をバイパス状態に設定することから、給湯機対流は発生しない。
そして、貯湯タンク１が空で上部温度ＴｍｐＨと下部温度ＴｍｐＬの温度差ΔＴｍｐＨＬが所定温度差ΔＴｍｐ１未満になると、制御部１２はバイパス弁９を沸き上げ状態に設定することから、制御部１２は、工場出荷時に貯湯タンク１が空の場合に、バイパス弁９を沸き上げ状態に設定できる。
【０１１８】
このように、第１の実施形態において、制御部１２が、総稼動時間にかかわらず、貯湯タンク１内の温度に基づいてバイパス弁９を制御する構成であっても、工場出荷時の電気給湯機２０のバイパス弁９を沸き上げ状態に設定することができ、ユーザは、試運転時に呼び水をすることなく、速やかに給水作業ができる。
さらに、貯湯タンク１の上部温度ＴｍｐＨと下部温度ＴｍｐＬの温度差ΔＴｍｐＨＬが所定温度差ΔＴｍｐ１以上のとき、制御部１２はバイパス弁９をバイパス状態に設定することから、貯湯タンク１の上部と下部に温度差があるときは、バイパス弁９がバイパス状態に設定され、給湯機対流は発生しない。
【０１１９】
また、第２の実施形態に係る電気給湯機２０において、制御部１２は、総稼動時間にかかわらず、貯湯タンク１の上部温度ＴｍｐＨを算出する。そして、上部温度ＴｍｐＨが所定温度Ｔｍｐ２未満のときはバイパス弁９を沸き上げ状態に設定し、上部温度ＴｍｐＨが所定温度Ｔｍｐ２以上のときはバイパス弁９をバイパス状態に設定する構成とする。
また、制御部１２は、沸き上げ運転するときにはバイパス弁９を沸き上げ状態に設定する。
【０１２０】
貯湯タンク１の上部に沸き上げ温度の湯水が滞留して上部温度ＴｍｐＨが所定温度Ｔｍｐ２以上になると、制御部１２はバイパス弁９をバイパス状態に設定することから、例えば、貯湯タンク１の下部に低温の湯水が給水されて貯湯タンク１の上部と下部に温度差が生じても給湯機対流は発生しない。
そして、貯湯タンク１が空で上部温度ＴｍｐＨが所定温度Ｔｍｐ２未満になると、制御部１２はバイパス弁９を沸き上げ状態に設定することから、制御部１２は、工場出荷時に貯湯タンク１が空の場合に、バイパス弁９を沸き上げ状態に設定できる。
【０１２１】
このように、第２の実施形態において、制御部１２が、総稼動時間にかかわらず、貯湯タンク１内の温度に基づいてバイパス弁９を制御する構成であっても、工場出荷時の電気給湯機２０のバイパス弁９を沸き上げ状態に設定することができ、ユーザは、試運転時に呼び水をすることなく、速やかに給水作業ができる。
さらに、貯湯タンク１の上部温度ＴｍｐＨが所定温度Ｔｍｐ２以上のとき、制御部１２はバイパス弁９をバイパス状態に設定することから、貯湯タンク１に沸き上げ温度の湯水が蓄えられているときは、バイパス弁９がバイパス状態に設定され、給湯機対流は発生しない。
【０１２２】
このように、制御部１２の総稼動時間にかかわらず、制御部１２が常に貯湯タンク１内の温度に基づいてバイパス弁９を制御する構成であっても、第１の実施形態及び第２の実施形態と同様の効果を得ることができる。
【０１２３】
なお、第１の実施形態及び第２の実施形態において、図１に示す電気給湯機２０の制御部１２は、最初に起動してから実際に稼動している時間の合計である総稼動時間を稼動時間として電気給湯機２０を制御しているが、この構成に限定されるものではなく、例えば、制御部１２が、電気給湯機２０に電源が投入されるごとに電源投入からの経過時間を計測し、この経過時間を稼動時間として電気給湯機２０を制御する構成であってもよい。
すなわち、制御部１２は、電気給湯機２０に電源が投入されてから所定時間経過すると、沸き上げ運転する場合にはバイパス弁９を沸き上げ状態に設定し、沸き上げ運転しないときはバイパス状態に設定する構成であってもよい。この場合の所定時間は、５〜１０分の範囲であることが好ましい。なお、電気給湯機２０に電源が投入される時点としては、工場出荷時の出荷検査の時点、新規設置の時点、メンテナンス後に一旦電源を切った後に再度電源を投入する時点等が考えられる。
【０１２４】
また、第１の実施形態及び第２の実施形態において、図１に示す電気給湯機２０は、貯湯タンク１の取り出し口４と接続する入口管６とバイパス管８の接続部にバイパス弁９を備えている。
すなわち、バイパス弁９はＨＰユニット１１の入口側に備わっている。
この構成によって、前記したようにバイパス弁９の耐熱温度を低くすることができ、バイパス弁９をコストダウンできる。
【０１２５】
さらに、バイパス弁９がバイパス状態に設定されている場合、入口管上流部６ａはバイパス弁９によって閉じられることから、入口管下流部６ｂからＨＰユニット１１の入口部１１ａを外しても、貯湯タンク１に蓄えられている湯水が入口管上流部６ａから流出しない。
【０１２６】
したがって、例えば、貯湯タンク１の上部（戻り口５の近傍）で貯湯タンク１とＨＰユニット１１を切り離し、ＨＰユニット１１の入口部１１ａを入口管下流部６ｂから切り離すと、貯湯タンク１に蓄えられている湯水を流出させることなくＨＰユニット１１を取り外すことができる。
すなわち、ＨＰユニット１１の交換や整備をするときに貯湯タンク１に蓄えられている水の流出を防ぐための弁機構が不必要になり、電気給湯機２０をコストダウンできる。
【０１２７】
なお、図１に示す電気給湯機２０は、入口管６とバイパス管８の接続部に三方弁のバイパス弁９を切替機構として備える構成としたが、この構成に限定されるものではない。
【０１２８】
例えば、切替機構として、バイパス管８を開閉する図示しない開閉弁と、入口管上流部６ａを開閉する図示しない開閉弁を備える構成であってもよい。
バイパス管８を開閉する図示しない開閉弁が閉弁して、入口管上流部６ａを開閉する図示しない開閉弁が開弁すると、バイパス管８が閉じて、ＨＰユニット１１の入口部１１ａが貯湯タンク１の取り出し口４に接続された状態になり、切替機構が沸き上げ状態に設定される。
また、バイパス管８を開閉する図示しない開閉弁が開弁して、入口管上流部６ａを開閉する図示しない開閉弁が閉弁すると、入口管上流部６ａが閉じて、ＨＰユニット１１の入口部１１ａが出口管７にバイパス管８を介して接続された状態になり、切替機構がバイパス状態に設定される。
【０１２９】
したがって、制御部１２は、バイパス管８を開閉する図示しない開閉弁を閉弁するとともに、入口管上流部６ａを開閉する図示しない開閉弁を開弁して、切替機構を沸き上げ状態に設定することができる。
また、制御部１２は、バイパス管８を開閉する図示しない開閉弁を開弁するとともに、入口管上流部６ａを開閉する図示しない開閉弁を閉弁して、切替機構をバイパス状態に設定することができる。
【０１３０】
また、本実施形態に係る電気給湯機は、制御部がタンク内の温度に基づいて切替機構を制御する構成であるが、例えば、制御部が稼動時間のみに基づいて切替機構を制御する構成であってもよい。
具体的には、制御部の稼動時間が所定時間未満の場合には、制御部が切替機構を第２の状態（沸き上げ状態）に設定し、制御部の稼動時間が所定時間以上であって液体の沸き上げが行われない場合には、制御部が切替機構を第１の状態（バイパス状態）に設定する構成であってもよい。
なお、この構成では、タンクに高温の液体が蓄えられている状態で電源投入された場合、所定時間が経過するまでは、切替機構が第２の状態となり給湯機対流が発生してしまうおそれがある。しかし、所定時間が経過した後は切替機構が第１の状態となり、その後は給湯機対流を抑えることができる。したがって、このような構成であっても、「タンクに蓄えられる高温の液体の温度を低下させる自然対流を抑えるとともに、新規設置時に、ヒートポンプ部へ速やかに液体を導入できる。」という効果を得られるだけでなく、制御部による切替機構の制御を簡素化できるという効果を奏する。なお、この場合の所定時間は、給湯機対流によってタンク内の温度分布が一様になるよりも充分短い時間（例えば、５〜１０分）に設定すればよい。
【０１３１】
また、電気給湯機としては、タンクに蓄えられた沸き上げ温度の湯水を給湯栓などの給湯端末に供給するために使用する構成のほか、タンクに蓄えられた沸き上げ温度の湯水をさらに熱媒体として利用する構成も考えられ、この場合には、タンクに蓄えられる熱媒体は液体であれば湯水でなくてもよい。
本発明は、このように構成される電気給湯機にも適用可能であり、図１に示す電気給湯機２０の貯湯タンク１は、熱媒体となる液体を蓄えるためのタンクとすればよい。
なお、タンクに蓄えられる高温の液体を熱媒体として利用する方法としては、給水源から供給される水を加熱し、加熱された水（湯水）を給湯端末に供給する方法が考えられる。
【０１３２】
また、本実施形態に係る電気給湯機は、ヒートポンプユニット及びタンクユニットを組み合わせて構成されるが、本発明は、タンクと熱源が一体的に設けられた、いわゆる一体型の電気給湯機にも適用可能であり、その場合、タンクと一体的に設けられる熱源をヒートポンプ部と特定することができる。
【０１３３】
また、本実施形態に係る電気給湯機は、ヒートポンプユニットに送られる低温の湯水（低温の液体）は、タンクに設けられた取り出し口から取り出されるが、ヒートポンプユニットに送られる低温の湯水が、タンクを経由せず給水管から直接取り出される構成であってもよい。
この場合、給水管からヒートポンプユニットに向う配管（入口管）と給水管の分岐部を、入口管に対する液体の導入部と特定することができる。
【符号の説明】
【０１３４】
１      貯湯タンク
１ａ    頂部
１ｂ    底部
４      取り出し口（入口管に対する液体の導入部）
５      戻り口
６      入口管
６ａ    入口管上流部
６ｂ    入口管下流部
７      出口管
８      バイパス管
９      バイパス弁（切替機構）
１０ａ  第１温度計（温度計測装置）
１０ｂ  第２温度計（温度計測装置）
１１    ＨＰユニット（ヒートポンプ部）
１１ａ  入口部
１１ｂ  出口部
１２    制御部
２０    電気給湯機
【図１】
2011033284.tif 000003
【図２】
2011033284.tif 000004
【図３】
2011033284.tif 000005